(57)【要約】【課題】ドアの開け操作のみでドア側部材のストライクピンを確実にオートチャッチする操作性、意匠性、施工性、安全性及び耐久性に優れる戸当たり用床側部材及びこれを用いた戸当りを提供すること。【解決手段】ドア３０側に装着されるストライクピン２１がドア３０の開き操作により嵌り込み、ドア３０を開放状態で維持する床面４０に固定される戸当たり用床側部材であって、ストライクピン２１が嵌り込む凹部１１を中央に有し、側面の少なくともストライクピン２１の軌道面が内側に上り勾配となる傾斜面１３である。【選択図】図１
2008184897.tif 000002
【特許請求の範囲】
【請求項１】
ドア側に装着されるストライクピンがドアの開き操作により嵌り込み、ドアを開放状態で維持する床面に固定される部材であって、ストライクピンが嵌り込む凹部を中央に有し、側面の少なくともストライクピンの軌道面が内側に上り勾配となる傾斜面であることを特徴とする戸当たり用床側部材。
【請求項２】
前記側面は、全体が内側に上り勾配となる傾斜面であることを特徴とする請求項１記載の戸当たり用床側部材。
【請求項３】
高さが１０ｍｍ以下の半円錐状部材であることを特徴とする請求項１又は２記載の戸当たり用床側部材。
【請求項４】
前記凹部の内周面に緩衝部材が埋設されたものであることを特徴とする請求項１〜３のいずれか１項記載の戸当たり用床側部材。
【請求項５】
請求項１〜４のいずれか１項記載の戸当たり用床側部材と、自然状態において自重又は弾発力により下方に付勢され、外力により上昇するドア側部材であるストライクピンを備えることを特徴とする戸当り。
【請求項６】
前記ストライクピンは、ドアの開きの進行と共に、前記床側部材の傾斜面に突き当たり、自重又は弾発力に抗して該傾斜面に沿って上昇し、前記凹部に嵌り込むものであることを特徴とする請求項５記載の戸当り。
【発明の詳細な説明】
【技術分野】
【０００１】
本発明は、ドアの開け操作のみでドア側部材のストライクピンを確実にオートチャッチする操作性、意匠性、施工性、安全性及び耐久性に優れる戸当たり用床側部材及びこれを用いた戸当りに関するものである。
【背景技術】
【０００２】
従来、家屋の各部屋に設置されるドアを開く際、壁面への激突を防止すると共に、開き状態に維持する手段として、床付け戸当たりが知られている。一般的には、激突を避ける壁の手前の床面にドアと対向する面に緩衝材を付設すると共にリング状の係り具を設けた床付け戸当たりと、ドアの略先端部に付設される該係り具が架かるフック状の係合部材とからなるものが使用されている。
【０００３】
近年、改良された種々の形態の戸当たりが提案されている。特許文献１の特開２０００−４５６０６号公報には、床に固定する戸当たり本体と、ドアに固定し、該戸当たり本体の上端部と保持可能に形成した係止体とから構成し、戸当たり本体、係止体のいずれか一方に保持力調整手段を配設した戸当たりが開示されている。また、特許文献２の特開２０００−２４８８０８号公報には、弾性材料製の戸当たり部に、扉に設けられた磁着部を磁着するマグネットあるいは磁性材料製の扉仮保持部を係合させ並設してなる戸当たり装置が開示されている。また、特許文献３の特開平１０−３２５２７４号公報には、戸当たり本体を床面に固定する固定体と、ばねにより上方に付勢されながら固定体に上下方向に摺動可能に配設され、足の踏み面により操作可能な形状に形成した、ストッパーを係止する可動係止体と、戸当たり本体の最外周に配設した緩衝体とで構成した戸当たりが開示されている。これらの戸当たりはいずれもドアの開き操作のみで戸当たり本体と係止体が仮止め又は保持される点で有用なものである。
【特許文献１】特開２０００−４５６０６号公報（特許請求の範囲、図１、図２）
【特許文献２】特開２０００−２４８８０８号公報（特許請求の範囲、図１）
【特許文献３】特開平１０−３２５２７４号公報（特許請求の範囲、図１）
【発明の開示】
【発明が解決しようとする課題】
【０００４】
しかしながら、特開２０００−４５６０６号公報や特開平１０−３２５２７４号公報に記載の戸当たりは、戸当たり本体と係止体の係合が上下方向に付勢する弾性体によるものであり、戸当たり形状が上下方向で大きくなり見栄えが悪いという問題がある。また、係合体やストッパーの先端が室内側に突出しているため、安全とは言い難い。また、特開２０００−２４８８０８号公報記載の戸当たりは、不意の強風、荷物の激突あるいは子供の開け操作等ドアが戸当たり部に激しく当たるような場合には、弾性材料が付設されているものの、仮保持が困難となり、事故の原因となる場合がある。
【０００５】
従って、本発明の目的は、ドアの開け操作のみでドア側部材のストライクピンを確実にオートチャッチする操作性、意匠性、施工性、安全性及び耐久性に優れる戸当たり用床側部材及びこれを用いた戸当りを提供することにある。
【課題を解決するための手段】
【０００６】
すなわち、本発明（１）は、ドア側に装着されるストライクピンがドアの開き操作により嵌り込み、ドアを開放状態で維持する床面に固定される部材であって、ストライクピンが嵌り込む凹部を中央に有し、側面の少なくともストライクピンの軌道面が内側に上り勾配となる傾斜面である戸当たり用床側部材を提供するものである。
【０００７】
また、本発明（２）は、前記戸当たり用床側部材と、自然状態において自重又は弾発力により下方に付勢され、外力により上昇するドア側部材であるストライクピンを備える戸当りを提供するものである。
【発明の効果】
【０００８】
本発明の戸当り用床側部材は構造が簡易で堅牢にでき、且つストライクも簡易な構造にできるため、長期間の耐久試験においても確実にオートロックすることができる（耐久性、施工性）。また、戸当り用床側部材は薄型であるため、居住者や歩行者にとってバリヤフリー同様の安全性に優れ、床面の清掃などの障害とならない（意匠性、安全性）。また、ストライクピンが嵌り込む凹部の内周面にプラスティック、ゴム又は軟質樹脂等の緩衝材を付設するため、ストライクピンが嵌る際の異音の発生を防止することができる（操作性）。また、本発明の戸当りは、ドア側のストライクピンはドアの開き操作で床側部材の傾斜面に確実に突き当たると共に、傾斜面をせりあがり、中央の凹部に確実に嵌り込む（操作性）。
【発明を実施するための最良の形態】
【０００９】
本発明の実施の形態における戸当たり用床側部材（以下、単に「床側部材」とも言う。）及び戸当りを図１〜図１０を参照して説明する。図１は本例の戸当りの使用状態を示す斜視図、図２は本例の床側部材の斜視図、図３は図２の床側部材の縦断面図、図４及び図５は本例の戸当りの使用方法を説明する図、図６〜図９は他の実施の形態における床側部材を示す図、図１０〜図１２は本例の戸当たりで用いるストライクを説明する図である。
【００１０】
本例の床側部材１０は、ドア３０側に装着されるストライクピン２１がドア３０の開き操作（矢印Ｙ）により床側部材の凹部１１に嵌り込み、ドア３０を開放状態で維持するものであって、床面４０に固定される部材である。床側部材１０は、ストライクピン２１が嵌り込む凹部１１を中央に有し、側面の全体が内側に上り勾配となる傾斜面１３となる半円錐状部材である。また、凹部１１の内周面に緩衝部材１２を埋設することにより、ストライクピン２１が凹部１１に嵌る際の異音の発生を抑制している。また、床側部材１０の高さとしては、１０ｍｍ以下が好ましく、特に５〜８ｍｍが好ましい。床側部材１０は、高さが当該範囲にある半円錐状部材であるため、居住者や歩行者にとってバリヤフリー同様の安全性に優れる。また、従来、部屋のコーナー部の掃除の際、戸当りが障害となって、掃除機のヘッドが入り難いものであったが、本例の床側部材１０によれば、部屋のコーナー部のみならず、床側部材１０周りの清掃も可能となる。また、床側部材１０を床面４０へ設置する際、ビス孔１４を通してビス留めのみでよく、更に該ビスのヘッドがゴム材などの緩衝部材１２で塞がれるため、意匠性に優れる。また、緩衝部材１２が、凹部１１に着脱自在の嵌め込みタイプである場合、ごみやワックスが付着した場合であっても、簡単に取替えでき、常に清潔な状態を維持できる。
【００１１】
本例の戸当たり１は、床側部材１０と、ストライクピン２１を備えるストライク２０からなるものである。本例のストライクピン２１は、ケース２２内において弾発力により下方に付勢されており、ケース２２の天板２４を例えば足で踏む等の外力により上昇する機構を備えるドア側部材である。
【００１２】
本例の戸当たり１の設置方法の一例を説明する。先ず、ドア３０の部屋側の先端下方にストライク２０を取り付ける。この際、自然状態におけるストライクピン２１の先端位置は、床面４０より上方にあり、床面４０からの距離は床側部材１０の高さより低く、好ましくは床側部材１０の高さの半分程度である。次いで、床側部材１０はドア３０の開放状態を維持する位置であって、且つドア３０の開き操作によるストライクピン２１の軌道の中心と床側部材１０の中心が一致する位置に取り付ける。床側部材１０の床面４０への取り付けはビス留めで行うことが好ましく、次いで、緩衝部材１２を床側部材１０の凹部１１に嵌め込む。
【００１３】
本例の戸当たり１の使用方法の一例を図４及び図５を参照して説明する。ドア３０の矢印Ｙ方向への開き操作及び開きの進行により、ストライク２０のケース２２内に付設されたストライクピン２１は、床側部材１０の傾斜面１３に突き当たる（図４（Ａ））。この際、ストライクピン２１は、自重又は弾発力に抗して傾斜面１３に沿って上昇し、凹部１１に至れば、自重又は弾発力により凹部１１に嵌り込む（図４（Ｂ））。これにより、ドア３０の開放状態が維持される。次いでドア３０の開放状態を解除したい場合、ケース２２の天板２４を例えば足で踏み付ける（矢印Ｚ方向）と、ストライクピン２１の没入機構が作用し、ストライクピン２１は上方に移動し、ケース２４内に没入する（図４（Ｃ））。この状態でドア３０を閉める方向に移動させると、床側部材１０とストライク２０は切り離され、その後は足の踏み付けを解除してストライクピン２１を下方に戻し、定常状態としつつドア３０を閉める（（図４（Ｄ））。
【００１４】
本発明の床側部材１０は、側面の少なくともストライクピンの軌道面が内側に上り勾配となる傾斜面であれば、特に制限されず、上記床側部材１０の形態の他、側面視の傾斜がアーチ状のドーム形状の床側部材１０ａ（図６）、所定高さを有する円板状物においてストライクピンの軌道面及びその近傍のみの側面を内側に上り勾配となる傾斜面とする馬の背形状の床側部材１０ｂ（図７）、半四角錐形状の床側部材１０ｃ（図８）及び半三角錐形状の床側部材１０ｄ（図８）等が挙げられる。なお、図６及び図７中、（Ａ）は斜視図、（Ｂ）は正面図、図７中、（Ｃ）は側面図、図８（Ａ）は平面図、（Ｂ）は正面図である。
【００１５】
本発明の戸当りに用いられるストライクとしては、自然状態において自重又は弾発力により下方に付勢され、外力により上昇するストライクピンを備えるものであれば特に制限されず、ドア３０に固定される基板２５ａと、基板２５ａに固定されるガイドケース２６と、ガイドケース２６の上端２６１に拡径の係止片２７が係止される略Ｔ字形断面のストライクピン２１を備える自重付勢型のストライク２０ａ（図１０）、底面開口２８１、側面開口窓２８２を備える略円筒ケース２８と、側面開口窓２８２から突出する係止片２７を有するストライクピン２１と、円筒ケース２８の天面とストライクピン２１間に介在されるバネ２９とを備える弾発付勢型のストライク２０ｂ（図１１）、中間固定ピニオン２２２と、ドア側固定部材２２７と、ドア側固定部材２２７に上下移動自在に支持される壁面とは反対側の内壁にラック部２２１を備えるケース部２２と、中間固定ピニオン２２２に螺合するラック部２２３を有し上下両側のバネ２２５、２２６間に位置する移動ラック２２４と、ケース部２２の下方開口から突出するストライクピン２１を備える弾発付勢型のストライク２０ｃ（図１２）が挙げられる。
【００１６】
ストライク２０ａにおいて、ストライクピン２１はその先端が床側部材１０の傾斜面１３に突き当たり、傾斜面１３に沿って上昇し、次いで、床側部材１０の凹部１１に至ると自重により、凹部１１に入り込む。これにより、ドア３０の開放状態が維持される。次いでドア３０の開放状態を解除したい場合、係止片２７を足又は手で上方に押し上げれば、ストライクピン２１は上方に移動する。この状態でドア３０を閉める方向に移動させると、床側部材１０とストライク２０ａは切り離され、その後は足又は手で係止片２７を解除してストライクピン２１を下方に戻し定常状態としつつドア３０を閉める。ストライク２０ａによれば、簡易な構造であるため製造コストを低減できる。
【００１７】
ストライク２０ｂにおいて、ストライク２０ａと異なる点は、ストライクピン２１はバネ付勢に抗して上昇する点、及び下降する際、バネ付勢により行われる点にある。ストライク２０ｂによれば、ストライクピン２１が床側部材１０の凹部１１に確実に嵌合するため安定性に優れる以外はストライク２０ａと同様の効果を奏する。
【００１８】
ストライク２０ｃにおいて、ストライク２０ａと異なる点は、ストライクピン２１の上昇は、ケース２２の天板２４を下方へ押すことにより、バネ付勢に抗して行われる点、及び下降する際、バネ付勢により行われる点にある。ストライク２０ｃによれば、ドアの開放状態を解除する際、ケース２２の天板２４の天面を下方へ足で押せばよく、解除操作が楽である点及びストライクピン２１が床側部材１０の凹部１１に確実に嵌合するため安定性に優れる点以外はストライク２０ａと同様の効果を奏する。
【００１９】
本発明の戸当り用床側部材は、構造が簡易で堅牢にでき、且つストライクも簡易な構造にできるため、長期間の耐久試験においても確実にオートロックすることができる。図１に示す戸当り１を用いた耐久試験においては、５万回のドアの開け操作においても、確実にオートロックできた。
【００２０】
本発明の戸当り用床側部材において、凹部に付設される緩衝部材は任意の構成要素であるが、緩衝部材を用いる場合、上記嵌め込みによる付設形態以外に、予め一体製造により床側部材に埋め込まれる形態であってもよい。また、凹部の構造としては、ストライクピンが入り込む形状であれば、特に制限されず、その深さ及び平面視形状なども適宜選択される。また、本発明の戸当りで用いるストライクピンは、自由状態において床面に当接していてもよい。この場合、ドアの開きと共に、ストライクピンの先端は床面上を滑ることになる。
【産業上の利用可能性】
【００２１】
本例の戸当りは家屋の各部屋に設置できる。特に、床側部材は構造が簡易で堅牢であり、意匠性に優れるため、高級感のある部屋に好適である。また、本発明の床側部材とストライクピンのオートロック機構は安定性と耐久性に優れるため、人の出入りが多い部屋や子供の開け閉めが多いドアにも有効である。また、凹部の緩衝部材を付設した床側部材は異音の発生を抑制するため、静寂性が求めらる部屋にも有効である。
【図面の簡単な説明】
【００２２】
【図１】本実施の形態例の戸当りの使用状態を示す斜視図である。
【図２】本実施の形態例の床側部材の斜視図である。
【図３】図２の床側部材の縦断面図である。
【図４】本例の戸当りの使用方法を説明する図である。
【図５】本例の戸当りの使用方法を説明する図であり、図４に連続する工程である。
【図６】本実施の形態例における他の床側部材を示す図である。
【図７】本実施の形態例における他の床側部材を示す図である。
【図８】本実施の形態例における他の床側部材を示す図である。
【図９】本実施の形態例における他の床側部材を示す図である。
【図１０】本例の戸当たりで用いるストライクを説明する図である。
【図１１】本例の戸当たりで用いる他のストライクを説明する図である。
【図１２】本例の戸当たりで用いる他のストライクを説明する図である。
【符号の説明】
【００２３】
１    戸当り
１０、１０ａ〜１０ｄ    戸当り用床側部材
１１    凹部
１２    緩衝部材
１３    傾斜面
１４    ビス穴
２０、２０ａ〜２０ｃ    ストライク
２１    ストライクピン
２２    ケース
２４    天板
３０    ドア
４０    床面
【図１】
2008184897.tif 000003
【図２】
2008184897.tif 000004
【図３】
2008184897.tif 000005
【図４】
2008184897.tif 000006
【図５】
2008184897.tif 000007
【図６】
2008184897.tif 000008
【図７】
2008184897.tif 000009
【図８】
2008184897.tif 000010
【図９】
2008184897.tif 000011
【図１０】
2008184897.tif 000012
【図１１】
2008184897.tif 000013
【図１２】
2008184897.tif 000014
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
ドア側に装着されるストライクピンがドアの開きの進行と共に、床側部材の傾斜面に突き当たり、自重又は弾発力に抗して該傾斜面に沿って上昇し、床側部材の凹部に嵌り込み、ドアを開放状態で維持する床面に固定される部材であって、側面の少なくともストライクピンが接触し摺動する部分が内側に上り勾配となる側面視が直線状の傾斜面である戸当たり用床側部材と、
上下方向にのみ変位するものであって、自然状態において自重又は弾発力により下方に付勢されるドア側部材であるストライクピンを備えることを特徴とする戸当り。
【請求項２】
前記側面は、全体が内側に上り勾配となる側面視が直線状の傾斜面であることを特徴とする請求項１記載の戸当たり。
【請求項３】
高さが１０ｍｍ以下の半円錐状部材であることを特徴とする請求項１又は２に記載の戸当たり。
【請求項４】
前記凹部の内周面にプラスティック、ゴム又は軟質樹脂が埋設されたものであることを特徴とする請求項１〜３のいずれか１項記載の戸当たり。
【請求項５】
前記ストライクピンは、外力により上昇するものであることを特徴とする請求項１〜４のいずれか１項記載の戸当り。
【手続補正３】
【補正対象書類名】明細書
【補正対象項目名】０００６
【補正方法】変更
【補正の内容】
【０００６】
すなわち、本発明は、ドア側に装着されるストライクピンがドアの開きの進行と共に、床側部材の傾斜面に突き当たり、自重又は弾発力に抗して該傾斜面に沿って上昇し、床側部材の凹部に嵌り込み、ドアを開放状態で維持する床面に固定される部材であって、側面の少なくともストライクピンが接触し摺動する部分が内側に上り勾配となる側面視が直線状の傾斜面である戸当たり用床側部材と、上下方向にのみ変位するものであって、自然状態において自重又は弾発力により下方に付勢されるドア側部材であるストライクピンを備えることを特徴とする戸当りを提供するものである。
【手続補正４】
【補正対象書類名】明細書
【補正対象項目名】０００７
【補正方法】削除
【補正の内容】